(57)【要約】【課題】水上スポーツ用具のフィンを操作する場合に作業が行い易く、女性や子供でも比較的容易に水上スポーツ用具のフィンを操作することが可能とする。【解決手段】フィン２０が取り付けられる水上スポーツ用具に用いる。治具の中央に位置する中央部１０と、所定間隔をもって平行に設けられた２本のアーム部１１Ａ、１１Ｂと、前記中央部１０に結合された把手部１４と、前記中央部１０、前記アーム部１１Ａ、１１Ｂ、前記把手部１４の少なくとも１つの部位に設けられ、前記フィン２０に当接してテコの作用点となる作用点部位と、を具備し、前記把手部１４がテコの力点として機能し、前記アーム部１１Ａ、１１Ｂの前方部分がテコの始点として機能する。【選択図】図１
2018203167.tif 000002
【特許請求の範囲】
【請求項１】
フィンが取り付けられる水上スポーツ用具に用いるフィン操作治具において、
この治具の中央に位置する中央部と、
前記中央部から第１の方向へ延び、前記フィンの厚み寸法より僅かに長い間隔を設けて平行に設けられた２本のアーム部と、
前記中央部を介して前記アーム部と反対側に延びるように、前記中央部に結合された把手部と、
前記中央部、前記アーム部、前記把手部の少なくとも１つの部位に設けられ、前記フィンに当接してテコの作用点となる作用点部位と、
を具備し、前記把手部がテコの力点として機能し、前記アーム部の前方部分がテコの支点として機能することを特徴とするフィン操作治具。
【請求項２】
前記作用点部位は、前記アーム部と前記中央部との結合部であって２本の前記アーム部間に設けられ、前記フィンが取り付けられるキャビティと前記フィンの取付部との境界部分に差し込む差込部であることを特徴とする請求項１に記載のフィン操作治具。
【請求項３】
前記中央部、前記アーム部及び把手部は、樹脂により構成され、前記差込部は、金属により構成されていることを特徴とする請求項１または請求項２に記載のフィン操作治具。
【請求項４】
前記差込部は、四角の平板状をなし、２つのアーム部が形成するＵ字状の基端部に設けられ、前記基端部から前記中央部側に向かって徐々に高さが高く形成されていることを特徴とする請求項１乃至３のいずれか１項に記載のフィン操作治具。
【請求項５】
前記差込部を前記フィンの前記取付部の境界部分に差し込んだときに、前記２本のアーム部の先端が、前記フィンの前記差し込んだ側から前記フィンの幅を超えた位置まで届くことを特徴とする請求項１乃至４のいずれか１項に記載のフィン操作治具。
【請求項６】
前記作用点部位は、前記把手部の上面側に設けられた溝であることを特徴とする請求項１に記載のフィン操作治具。
【請求項７】
前記アーム部は、該アーム部の先端から長さの３〜４分の１の位置で、上面側に折り曲げられていることを特徴とする請求項６に記載のフィン操作治具。
【請求項８】
２本の前記アーム部の先端が連結されていることを特徴とする請求項６または７に記載のフィン操作治具。
【請求項９】
２本の前記アーム部の対向する縁辺には、長手方向に延びる壁部が設けられていることを特徴とする請求項１乃至８のいずれか１項に記載のフィン操作治具。
【請求項１０】
前記把手部の下面には、前記フィンの最頂部から凸の曲線に沿った形状で構成される端部を、挟み込むように挿入可能な細溝部が形成されていることを特徴とする請求項１乃至９のいずれか１項に記載のフィン操作治具。
【発明の詳細な説明】
【技術分野】
【０００１】
この発明は、フィンが取り付けられるサーフィンボードなどの水上スポーツ用具に用いるフィン操作治具に関するものである。
【背景技術】
【０００２】
サーフィンボードなどの水上スポーツ用具には、方向制御や安定性の確保の観点からフィンが取り付けられて使用される。
【０００３】
このフィン２０は、例えば図８に示すようにボード等の取り付け面に設けられたキャビティ３１、３２に、取付部である嵌合部２１、２２が挿入されて嵌合される。このフィン２０の嵌合部２１の先端側に形成された凹部２３は、特許文献１の図７Ｄに示される凸部８０に係合するものである。また、嵌合部２２の先端側側面に形成された溝２４は、特許文献１の図７Ｃに示される弾性バイアス作用ロッド３０に設けられた突出部材３５に係合する。更に、このフィン２０の嵌合部２１における後部側の側部に設けられた縦方向に延びる溝２５は、フィン２０をキャビティ３１、３２に嵌合させた後に、所謂イモネジを植設して固定するためのものであり、このイモネジを植設することによりフィン２０を強固に固定することができる。
【０００４】
また、特許文献２には、上記フィン２０の嵌合部２１の構造を変更したものが示されている。このフィンでは、キャビティにおけるフィンの嵌合部に相当する突起部が収納される穴にバネを設けて、このバネによりフィン２０を後方に付勢する構成を有している。フィンの取付部には前方へ掘削された溝１２４、１３０が形成されており、この溝１２４、１３０が突起片であるドエル１１６、１１８に係合する。そして、係合した場合に上記バネの付勢力により溝１２４、１３０の最奥部にドエル１１６、１１８が位置付けられ、フィンがキャビティから抜け落ちないように固定される。
【先行技術文献】
【特許文献】
【０００５】
【特許文献１】特表２０１５−５２１９７５号公報
【特許文献２】特表２０１２−５１３９２５号公報
【発明の概要】
【発明が解決しようとする課題】
【０００６】
上記のようなフィンとキャビティの固定構造においては、特に特許文献１の構成においては、図８の嵌合部２１、２２とキャビティ３１、３２とが極めて強く嵌合されているため、嵌合状態からフィン２０を取り外す作業が大変であり、成人男子が作業を行っても取り外し難いものであった。
【０００７】
また、キャビティ３１、３２に対して嵌合部２１、２２を挿入した後に極めて強く嵌合されるように構成されているため、キャビティ３１、３２に対してフィン２０を挿入する際に、大きな力が必要であり、素手でフィン２０を挿入する作業が大変であるという問題点があった。
【０００８】
本発明は上記のような水上スポーツ用具のフィンを取り外す等の操作に関する問題点に鑑みなされたもので、その目的は、水上スポーツ用具のフィンを操作する場合に作業が行い易く、女性や子供でも比較的容易に水上スポーツ用具のフィンを操作することが可能とするフィン操作治具を提供することである。
【課題を解決するための手段】
【０００９】
本発明に係るフィン操作治具は、フィンが取り付けられる水上スポーツ用具に用いるフィン操作治具において、この治具の中央に位置する中央部と、前記中央部から第１の方向へ延び、前記フィンの厚み寸法より僅かに長い間隔を設けて平行に設けられた２本のアーム部と、前記中央部を介して前記アーム部と反対側に延びるように、前記中央部に結合された把手部と、前記中央部、前記アーム部、前記把手部の少なくとも１つの部位に設けられ、前記フィンに当接してテコの作用点となる作用点部位とを具備し、前記把手部がテコの力点として機能し、前記アーム部の前方部分がテコの始点として機能することを特徴とする。
【００１０】
本発明に係るフィン操作治具では、前記作用点部位は、前記アーム部と前記中央部との結合部であって２本の前記アーム部間に設けられ、前記フィンが取り付けられるキャビティと前記フィンの取付部との境界部分に差し込む差込部であることを特徴とする。
【００１１】
本発明に係るフィン操作治具では、前記中央部、前記アーム部及び把手部は、樹脂により構成され、前記差込部は、金属により構成されていることを特徴とする。
【００１２】
本発明に係るフィン操作治具では、前記差込部は、四角の平板状をなし、２つのアーム部が形成するＵ字状の基端部に設けられ、前記基端部から前記中央部側に向かって徐々に高さが高く形成されていることを特徴とする。
【００１３】
本発明に係るフィン操作治具では、前記差込部を前記フィンの前記取付部の境界部分に差し込んだときに、前記２本のアーム部の先端が、前記フィンの前記差し込んだ側から前記フィンの幅を超えた位置まで届くことを特徴とする。
【００１４】
本発明に係るフィン操作治具では、前記作用点部位は、前記把手部の上面側に設けられた溝であることを特徴とする。
【００１５】
本発明に係るフィン操作治具では、前記アーム部は、該アーム部の先端から長さの３〜４分の１の位置で、上面側に折り曲げられていることを特徴とする。
【００１６】
本発明に係るフィン操作治具では、前記アーム部は、２本の前記アーム部の先端が連結されていることを特徴とする。
【００１７】
本発明に係るフィン操作治具では、２本の前記アーム部の対向する縁辺には、長手方向に延びる壁部が設けられていることを特徴とする。
【００１８】
本発明に係るフィン操作治具では、前記把手部の下面には、前記フィンの最頂部から凸の曲線に沿った形状で構成される端部を、挟み込むように挿入可能な細溝部が形成されていることを特徴とする。
【発明の効果】
【００１９】
本発明に係るフィン操作治具は、フィンが取り付けられる水上スポーツ用具に用いるフィン操作治具において、この治具の中央に位置する中央部と、前記中央部から第１の方向へ延び、前記フィンの厚み寸法より僅かに長い間隔を設けて平行に設けられた２本のアーム部と、前記中央部を介して前記アーム部と反対側に延びるように、前記中央部に結合された把手部と、前記中央部、前記アーム部、前記把手部の少なくとも１つの部位に設けられ、前記フィンに当接してテコの作用点となる作用点部位と、を具備し、前記把手部がテコの力点として機能し、前記アーム部の前方部分がテコの始点として機能する。この結果、作、用点部位が、取付部を含むフィンを上方に持ち上げるように働き、大きな力によらずにフィンをキャビティから取り外すことが可能となる。
【図面の簡単な説明】
【００２０】
【図１】本発明に係るフィン操作治具の第１の実施形態を示す斜視図。
【図２】本発明に係るフィン操作治具における第１の実施形態を長手方向に断面とした断面図。
【図３】図１の裏面からの斜視図。
【図４】発明に係るフィン操作治具における第１の実施形態の使用状態を示す斜視図。
【図５】発明に係るフィン操作治具における第１の実施形態の使用状態を示す斜視図。
【図６】発明に係るフィン操作治具における第１の実施形態の使用状態を示す斜視図。
【図７】本発明に係るフィン操作治具の第２の実施形態を示す斜視図。
【図８】発明に係るフィン操作治具が適用される水上スポーツ用具の要部を示す斜視図。
【図９】本発明に係るフィン操作治具の第３の実施形態を示す斜視図。
【図１０】本発明に係るフィン操作治具における第３の実施形態を長手方向に断面とした断面図。
【図１１】発明に係るフィン操作治具における第３の実施形態の使用状態を示す斜視図。
【図１２】発明に係るフィン操作治具における第３の実施形態の使用状態を示す斜視図。
【図１３】本発明に係るフィン操作治具の第４の実施形態を示す斜視図。
【図１４】本発明に係るフィン操作治具における第４の実施形態を長手方向に断面とした断面図。
【発明を実施するための形態】
【００２１】
以下添付図面を参照して、本発明に係るフィン操作治具の実施形態を説明する。各図において同一の構成要素には、同一の符号を付して重複する説明を省略する。図１〜図３に、第１の実施形態に係るフィン操作治具を示す。フィン操作治具は、フィンが取り付けられる水上スポーツ用具に用いるフィン操作治具であり、水上スポーツ用具としてはサーフィンボード等を挙げることができる。
【００２２】
フィン操作治具は、この治具の中央に位置する中央部１０を備える。中央部１０は、概ね直方体の外形を備えている。フィン操作治具は、２本のアーム部１１Ａ、１１Ｂを備えている。２本のアーム部１１Ａ、１１Ｂは、上記中央部１０から第１の方向へ延び、図５に示すフィン２０の厚み寸法より僅かに長い間隔を設けて平行に設けられている。２本の上記アーム部１１Ａ、１１Ｂの対向する縁辺には、長手方向に延びる壁部１２Ａ、１２Ｂが設けられている。
【００２３】
フィン操作治具には、差込部１３と把手部１４とが備えられている。差込部１３は、上記アーム部１１Ａ、１１Ｂと上記中央部１０との結合部であって、２本の上記アーム部１１Ａ、１１Ｂ間に設けられる。この差込部１３は、上記フィン２０が取り付けられるキャビティ３１、３２と上記フィン２０の取付部である嵌合部２１、２２（図８）との境界部分に差し込まれるものである。
【００２４】
上記差込部１３は、例えば、金属により構成され、２つのアーム部１１Ａ、１１Ｂが形成するＵ字状の溝部が切欠された四角の平板状をなしている。差込部１３は、２つのアーム部１１Ａ、１１Ｂが形成する溝部のＵ字状の基端部２９に設けられ、差込部１３の先端縁１５から前記中央部１０側に向かって徐々に高さが高く形成されている。差込部１３は、基端部２９に近い、アーム部１１Ａ、１１Ｂのやや厚みを有する表面側からネジ１６Ａ、１６Ｂによってアーム部１１Ａ、１１Ｂに固定されている。
【００２５】
把手部１４は、上記中央部１０を介して上記アーム部１１Ａ、１１Ｂと反対側に延びるように、上記中央部１０に設けられている。上記中央部１０、上記アーム部１１Ａ、１１Ｂ及び把手部１４は、硬質で折れ難い樹脂により例えば射出成型によって作成される。一方、上記差込部１３は、金属により構成されている。把手部１４は、上記中央部１０に近い分では徐々に上方へ向かって延びており、把手部１４の中央部分から後端部１４Ｂにかけてはほぼ水平に形成されており、全体として上へ凸の曲線を描くように構成されている。
【００２６】
把手部１４の後端部１４Ｂは、把手部１４を手に持ったときに抜けないように、他の部位よりも大きい終端塊１７が形成されている。把手部１４を手に持ったときに指が掛かる面（下面）には波形状部１８が形成されている。波形状部１８の中央には長手方向に、細溝部１９が形成されている。細溝部１９は、上記フィン２０の最頂部から凸の曲線に沿って、嵌合部２１側へ僅かに進んだ位置の部位である最頂近傍凸部２８を、挟み込むように挿入可能な溝である。
【００２７】
以上のように構成されたフィン操作治具は、次のように用いることができる。まず、フィン２０をキャビティ３１、３２に嵌合する場合には、キャビティ３１、３２に、嵌合部２１、２２を僅かに挿入してフィン２０が立設した図４の如き状態とする。次に、上記フィン２０の最頂部から凸の曲線に沿った形状で構成される最頂近傍凸部２８に対して、フィン操作治具を上部から下降させ、把手部１４の細溝部１９に上記最頂近傍凸部２８が入り込むようにする。
【００２８】
次に、図４に示すように、把手部１４の表面側に手の平を乗せて、上記最頂近傍凸部２８に対して押しつける。このとき、体重を把手部１４の表面側に乗せるようにすると好適である。これによって、キャビティ３１、３２内に、嵌合部２１、２２が完全に挿入されて嵌合状態となり、キャビティ３１、３２に、フィン２０をしっかりと嵌合し固定することができる。
【００２９】
フィン２０をキャビティ３１、３２から外す場合には、図５に示すように、把手部１４を手に持って、アーム部１１Ａ、１１Ｂの先端側をフィン２０の後方へ近付けて２つのアーム部１１Ａ、１１Ｂが形成する溝部によりフィン２０を挟むようにする。治具を更に前進させて、差込部１３を上記フィン２０の嵌合部２１、２２の境界部分に差し込むようにする。このときに、上記２本のアーム部１１Ａ、１１Ｂの先端が、上記フィン２０の差し込んだ側からフィン２０の幅を超えた位置まで届く。
【００３０】
この状態において図６に示すように、２本のアーム部１１Ａ、１１Ｂの先端に一方の手を添えて、把手部１４を他方の手に持って上方へ持ち上げるようにする。すると、上記アーム部１１Ａ、１１Ｂの先端が水上スポーツ用具に当接してテコの支点として機能し、差込部１３が作用点として機能し、把手部１４が力点として機能する。この結果、差込部１３が嵌合部２１、２２を含むフィン２０を上方に持ち上げるように働き、大きな力によらずにフィン２０をキャビティ３１、３２から取り外すことが可能となる。
【００３１】
このとき、アーム部１１Ａ、１１Ｂの対向する縁辺に、長手方向に延びるように設けられている壁部１２Ａ、１２Ｂが、フィン２０の広い面の下部を支持するように機能し、取り外し作業によりフィン２０が予期しない方向へ飛んだりして、フィン２０が破損するなどの不具合を防止することができる。以上のように、第１の実施形態では、上記フィン２０に当接してテコの作用点となる作用点部位は、上記アーム部１１Ａ、１１Ｂと上記中央部１０との結合部であって２本の上記アーム部１１Ａ、１１Ｂ間に設けられる差込部１３である。この差込部１３は、上記フィン２０が取り付けられるキャビティ３１、３２と上記フィン２０の取付部である嵌合部２１、２２との境界部分に差し込むものである。本発明では、作用点部位は、上記中央部１０、上記アーム部１１Ａ、１１Ｂ、上記把手部１４の少なくとも１つの部位に設けられ、上記フィン２０に当接してテコの作用点となるものであれば、この第１の実施形態の構成に限定されない。
【００３２】
図７には、第２の実施形態に係るフィン操作治具が示されている。この治具の中央に位置する中央部１０を備える。上記中央部１０には、第１の方向へ延びる２本のアーム部１１Ａ、１１Ｂが設けられる。
【００３３】
差込部１３は、上記アーム部１１Ａ、１１Ｂと上記中央部１０との結合部であって２本の上記アーム部１１Ａ、１１Ｂ間に、差込部１３が設けられる。中央部１０からはＬ字状のアーム２７が延在されている。アーム２７の先端には、円柱状の把手芯２６が結合される。この第２の実施形態でも、上記フィン２０に当接してテコの作用点となる作用点部位は、上記アーム部１１Ａ、１１Ｂと上記中央部１０との結合部であって２本の上記アーム部１１Ａ、１１Ｂ間に設けられる差込部１３である。
【００３４】
上記中央部１０、２本のアーム部１１Ａ、１１Ｂ、差込部１３は、一体の金属に作成することができる。アーム２７、把手芯２６は、溶接などにより中央部１０と結合することができる。把手芯２６の周囲には樹脂が巻回されて把手部１４が構成されている。把手部１４の中心から把手芯２６に向けて細溝部１９が形成されている。金属は鉄やジュラルミンなどのような硬質で折れ難い材料が好適である。
【００３５】
上記構成の第２の実施形態に係るフィン操作治具における把手部１４の細溝部１９を、第１の実施形態に係るフィン操作治具の場合と同様にして使用し、手を痛めることなく、キャビティ３１、３２に、フィン２０をしっかりと容易に嵌合し固定することができる。
【００３６】
上記構成の第２の実施形態に係るフィン操作治具におけるアーム部１１Ａ、１１Ｂ、差込部１３及び把手部１４を、第１の実施形態に係るフィン操作治具の場合と同様にして使用し、差込部１３が嵌合部２１、２２を含むフィン２０を上方に持ち上げ、大きな力によらずにフィン２０をキャビティ３１、３２から取り外すことが可能となる。
【００３７】
即ち、上記アーム部１１Ａ、１１Ｂの先端が水上スポーツ用具に当接してテコの支点となるように機能させ、差込部１３が作用点として機能するようにし、把手部１４が力点として機能するようにして、フィン２０をキャビティ３１、３２から取り外すことができる。
【００３８】
なお、上記においては、フィンの取付部が嵌合部である場合を例としたが、本発明の実施形態に係るフィン操作治具は、これ以外のフィン取付構造を有する水上スポーツ用具にも用いることが可能である。例えば、特許文献２に記載の構造を有する水上スポーツ用具にも用いることが可能である。具体的には、差込部１３を上記フィン２０の後方から取付部の境界部分に差し込むようにし、更に前方へ押し付ける。すると、バネが収縮してフィン２０が前方へ移動し、溝１２４、１３０が突起片であるドエル１１６、１１８と係合している状態を解除できる位置まで移動する。後は、把手部１４を手に持って上記アーム部１１Ａ、１１Ｂの先端が支点となるようにして上方へ持ち上げるようにすることにより、フィンを容易に取り外すことができる。
【００３９】
次に、図９〜図１２を参照して第３の実施形態に係るフィン操作治具を説明する。この第３の実施形態における作用点部位は、把手部１４の上面側に設けられた溝４１である。溝４１は、中央部１０から把手部１４へ向けて立ち上がった位置より僅かに把手部１４側へ進んだ位置を起点とし、把手部１４の平らな部分の中央付近を終点として、形成されている。溝４１の深さは、溝４１にフィン２０の稜を入れたときに、容易に溝４１の横側へフィン２０が飛び出さない程度の寸法とすることができる。溝４１は、上記フィン２０の最頂部から凹の曲線に沿って最頂近傍凸部２８とは逆方向へ僅かに進んだ位置の部位である最頂近傍凹部４４（図１１）を、挟み込むように挿入可能な溝である。最頂近傍凸部２８と最頂近傍凹部４４とは最頂部を介してフィン２０の稜における反対側の位置に位置している。
【００４０】
また、この第３の実施形態では、アーム部１１Ａ、１１Ｂは、その先端から長さの３〜４分の１の位置で、上面側に折り曲げられている。アーム部１１Ａ、１１Ｂの先端から長さの３〜４分の１の部分は、平らなアーム前側部４２Ａ、４２Ｂである。アーム前側部４２Ａ、４２Ｂは、テコの支点として作用する部分である。アーム前側部４２Ａ、４２Ｂとアーム部１１Ａ、１１Ｂのなす角度θは、例えば３５度することができるが、特に限定されるものではない。
【００４１】
この第３の実施形態では、第１の実施形態における差込部１３とほぼ同一形状の補強部材４３を、差込部１３と同一の位置に備えている。上記補強部材４３は、例えば、金属により構成され、２つのアーム部１１Ａ、１１Ｂが形成するＵ字状の溝部が切欠された四角の平板状をなしている。補強部材４３は、２つのアーム部１１Ａ、１１Ｂが形成する溝部のＵ字状の基端部２９に設けられ、同一の厚みを有し、基端部２９の部分を補強する機能を有している。その他の部位の構成は、第１の実施形態のものと同一である。
【００４２】
以上のように構成されたフィン第３の実施形態に係る操作治具は、次のように用いることができる。フィン２０をキャビティ３１、３２から外す場合には、図１１に示すように、把手部１４を手に持って、アーム部１１Ａ、１１Ｂのアーム前側部４２Ａ、４２Ｂをフィン２０の後方へ近付けて２つのアーム前側部４２Ａ、４２Ｂが形成する溝部によりフィン２０を挟むようにする。アーム前側部４２Ａ、４２Ｂをフィン２０の近傍の平面に沿わせた状態で治具を更に前進させてアーム前側部４２Ａ、４２Ｂを上記フィン２０の嵌合部２１、２２の横側に位置付けるようにする。このときに、把手部１４の溝４１の部分が、上記フィン２０の最頂近傍凹部４４に対向する位置まで届く。
【００４３】
この状態において図１２に示すように、２本のアーム前側部４２Ａ、４２Ｂの先端に一方の手を添えて、把手部１４を他方の手に持って上方へ持ち上げるようにする。すると、上記溝４１の底部が水上スポーツ用具におけるフィン２０の最頂近傍凹部４４に当接して、テコの作用点として機能し、アーム前側部４２Ａ、４２Ｂ（特に、その先端部）が支点として機能し、把手部１４が力点として機能する。この結果、上記溝４１がフィン２０を上方に持ち上げるように働き、大きな力によらずにフィン２０をキャビティ３１、３２から取り外すことが可能となる。
【００４４】
フィン２０をキャビティ３１、３２に嵌合する場合には、第１の実施形態と同様にして作業を行うことができる。これによって、キャビティ３１、３２内に、嵌合部２１、２２が完全に挿入されて嵌合状態となり、キャビティ３１、３２に、フィン２０をしっかりと嵌合し固定することができることは、第１の実施形態と同様である。
【００４５】
次に、図１３〜図１４を参照して第４の実施形態に係るフィン操作治具を説明する。この第４の実施形態における作用点部位は、把手部１４の上面側に設けられた溝４１である。この第４の実施形態に係るフィン操作治具の構成は、第３の実施形態に係るフィン操作治具の構成とほとんどが同一であり、３つの点において構成が異なっている。その第１は、２本のアーム１１Ａ、１１Ｂは、その先端のアーム前側部４２Ａ、４２Ｂにおいて相互に結合されている。つまり、アーム１１Ａの先端のアーム前側部４２Ａとアーム１１Ｂの先端のアーム前側部４２Ｂは、先端部４５によって繋がっている。
【００４６】
相違点の第２は上記第１の相違点により、この第３の実施形態では、アーム部１１Ａとアーム１１Ｂとの間の溝４６は、その先端において先端部４５によって閉じられており、また、その後端は基端部２９に設けられた補強部材４３によって閉じられていることである。溝４６の長さは、フィン２０の最頂近傍凹部４４からキャビティ３１までの距離より長ければよいのであるが、余裕をもって、フィン２０の基部における長さよりやや長くされていると好適である。このため、この第４の実施形態に係るフィン操作治具をフィン２０の上方から近づけて、溝４６の下側からフィン２０の最頂部を挿入させてフィン２０を通過させるようにフィン操作治具を下降させることができる。最終的には、フィン２０が取り付けられたボード面にフィン操作治具を置くようにすることができる。
【００４７】
この第４の実施形態では、第３の相違点としては、アーム部１１Ａ、１１Ｂの対向する縁辺に、長手方向に延びるように設けられている壁部１２Ａ−１、１２Ｂ−１が、形状と長さにおいて第３の実施形態における壁部１２Ａ、１２Ｂと相違している。差込部１３とほぼ同一形状の補強部材４３を、差込部１３と同一の位置に備えている。壁部１２Ａ−１、１２Ｂ−１は、アーム部１１Ａ、１１Ｂの折れ曲がっている部分から把手部１４方向へ向かって徐々に高さが高くされている。壁部１２Ａ−１、１２Ｂ−１の終端は、把手部１４の溝４１の概ね中央部となっている。この壁部１２Ａ−１、１２Ｂ−１を側方から見た形状は概ね逆三角形である。この壁部１２Ａ−１、１２Ｂ−１は、本実施形態のフィン操作治具の溝４６にフィン２０を挿入する場合と、フィン操作治具の溝４６にフィン２０が挿入された状態からフィン操作治具を取り外す際のガイドとして機能し、作業を行い易くまたフィン２０の破損を防止する。その他の部位の構成は、第３の実施形態のものと同一である。
【００４８】
以上のように構成されたフィン第３の実施形態に係る操作治具は、次のように用いることができる。フィン操作治具をフィン２０の上方から近づけて、溝４６の下側からフィン２０の最頂部を挿入させてフィン２０を通過させるようにフィン操作治具を下降させる。アーム部１１Ａ、１１Ｂのアーム前側部４２Ａ、４２Ｂがボードに着地させて、把手部１４を手に持って、アーム部１１Ａ、１１Ｂのアーム前側部４２Ａ、４２Ｂ及び先端部４５をフィン２０の取付部の前方ボード上に付けた状態にする。このときに、把手部１４の溝４１の部分が、上記フィン２０の最頂近傍凹部４４に対向する位置に位置付けられる。
【００４９】
この状態において、２本のアーム前側部４２Ａ、４２Ｂの先端に一方の手を添えて、把手部１４を他方の手に持って上方へ持ち上げるようにする。すると、上記溝４１の底部が水上スポーツ用具におけるフィン２０の最頂近傍凹部４４に当接して、テコの作用点として機能し、アーム前側部４２Ａ、４２Ｂ及び先端部４５が支点として機能し、把手部１４が力点として機能する。この結果、上記溝４１がフィン２０を上方に持ち上げるように働き、大きな力によらずにフィン２０をキャビティ３１、３２から取り外すことが可能となる。アーム前側部４２Ａ、４２Ｂ及び先端部４５が支点として機能するので、アーム１１Ａ、１１Ｂが実効的に１本のように働き、強度が強くなる。
【００５０】
フィン２０をキャビティ３１、３２に嵌合する場合には、第１の実施形態と同様にして作業を行うことができる。これによって、キャビティ３１、３２内に、嵌合部２１、２２が完全に挿入されて嵌合状態となり、キャビティ３１、３２に、フィン２０をしっかりと嵌合し固定することができることは、第１の実施形態と同様である。
【符号の説明】
【００５１】
１０  中央部
１１Ａ、１１Ｂ  アーム部
１２Ａ、１２Ｂ  壁部
１３  差込部
１４  把手部
１４Ｂ  後端部
１５  先端縁
１７  終端塊
１８  波形状部
１９  細溝部
２０  フィン
２１  嵌合部
２２  嵌合部
２３  凹部
２４  溝
２５  溝
２６  把手芯
２７  アーム
２８  最頂近傍凸部
２９  基端部
３１、３２  キャビティ
４１  溝
４２Ａ、４２Ｂ  アーム前側部
４３  補強部材
４４  最頂近傍凹部
４５  先端部
４６  溝
【図１】
2018203167.tif 000003
【図２】
2018203167.tif 000004
【図３】
2018203167.tif 000005
【図４】
2018203167.tif 000006
【図５】
2018203167.tif 000007
【図６】
2018203167.tif 000008
【図７】
2018203167.tif 000009
【図８】
2018203167.tif 000010
【図９】
2018203167.tif 000011
【図１０】
2018203167.tif 000012
【図１１】
2018203167.tif 000013
【図１２】
2018203167.tif 000014
【図１３】
2018203167.tif 000015
【図１４】
2018203167.tif 000016